(57)【特許請求の範囲】
【請求項１】
電話交換機主装置と、前記電話交換機主装置に収容され、それぞれ所定機能が割り当てられ、且つ、発光素子を備えた複数の機能キーを有する複数の電話機端末とを備えた電話交換機システムであって、
前記電話交換機主装置は、
保留番号毎に少なくとも現在保留中であるか否かを示す保留情報を有する保留データベースと、
前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーに初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させる手段と、
所定の条件により前記複数の機能キーへの機能の割り当てを初期設定に戻す手段と、
を備えたことを特徴とする電話交換機システム。
【請求項２】
前記電話交換機主装置は、前記保留情報が割り当てられた複数の機能キーのうち前記発光素子により保留中であることが表示されている機能キーが押下された時に当該機能キーに割り当てられた保留番号に対応する保留情報に含まれる通話相手との接続を開始する手段を有することを特徴とする請求項１に記載の電話交換機システム。
【請求項３】
前記電話交換機主装置は、前記保留データベースから前記或る電話機端末に備わる前記機能キーの数と同一の数の保留番号に対応する前記保留情報を読み出し、読み出した保留情報を前記電話機端末の機能キーに割り当てて設定するように前記或る電話機端末に指示することを特徴とする請求項１又は２に記載の電話交換機システム。
【請求項４】
電話交換機主装置と、前記電話交換機主装置に収容され、それぞれ所定機能が割り当てられ、且つ、発光素子を備えた複数の機能キーを有する複数の電話機端末とを備えた電話交換機システムであって、
前記電話交換機主装置は、
会議番号毎に少なくとも前記電話機端末によって会議中か否かを示す会議情報を有する会議データベースと、
前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーに初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させる手段と、
所定の条件により前記複数の機能キーへの機能の割り当てを初期設定に戻す手段と、
を備えたことを特徴とする電話交換機システム。
【請求項５】
前記電話交換機主装置は、前記会議情報が割り当てられた複数の機能キーのうち前記発光素子によって会議中であることが表示されている機能キーが押下された時に、該当する電話機端末から当該機能キーに割り当てられた会議番号に対応する会議情報に含まれる電話番号に発信することにより、当該会議に割り込みで参加させることを特徴とする請求項４に記載の電話交換機システム。
【請求項６】
前記電話交換機主装置は、前記会議データベースから前記或る電話機端末に備わる前記機能キーの数と同一の数の会議番号に対応する前記会議情報を読み出し、読み出した会議情報を前記電話機端末の機能キーに割り当てて設定するように前記或る電話機端末に指示することを特徴とする請求項４又は５に記載の電話交換機システム。
【請求項７】
電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、
保留番号毎に少なくとも現在保留中であるか否かを示す保留情報を有する保留データベースを有し、
前記電話交換機主装置は、前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーの初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させ、所定の条件により前記複数の機能キーへの機能の割り当てを初期設定に戻すことを特徴とする電話交換機システムの機能キーへの情報割当表示方法。
【請求項８】
電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、
会議番号毎に少なくとも前記電話機端末によって会議中か否かを示す会議情報を有する会議データベースを有し、
前記電話交換機主装置は、前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーの初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させ、所定の条件により前記複数の機能キーへの機能の割り当てを初期設定に戻すことを特徴とする電話交換機システムの機能キーへの情報割当表示方法。
【請求項９】
保留番号毎に少なくとも現在保留中であるか否かを示す保留情報を有する保留データベースと、
前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーに初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させる手段と、
所定の条件により前記複数の機能キーへの機能の割り当てを初期設定に戻す手段と、
を備えたことを特徴とする電話交換機主装置。
【請求項１０】
会議番号毎に少なくとも電話機端末によって会議中か否かを示す会議情報を有する会議データベースと、
前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーに初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させる手段と、
所定の条件により前記複数の機能キーへの機能の割り当てを初期設定に戻す手段と、
を備えたことを特徴とする電話交換機主装置。
【発明の詳細な説明】
【技術分野】
【０００１】
本発明は、電話交換機システム及びその機能キーへの情報割当表示方法、並びに電話交換機主装置に関し、特に、電話機端末の機能キーにシステム内の保留情報等を割り当てて別の機能を実現する技術に関するものである。
【背景技術】
【０００２】
一般に、電話交換機システムでは、電話機端末に保留キーが配置され、保留キーを押下することで通話を保留することが行われている。また、電話機端末には複数の機能キーが配置され、例えば、機能キーに電話番号の短縮を割り当てることで電話番号の入力作業を簡単化することが行われている。
【０００３】
このような電話交換機システムの機能は、通話の保留や電話番号の短縮等、それぞれ個別に使用されており、これらの機能を組み合わせて更に有効に使用することは行われていない。
【０００４】
そこで、従来の電話交換機システムとしては、例えば、特許文献１乃至３に記載されたものがある。特許文献１には、同一の機能キーに複数の機能を割り当て、これら複数の機能を切り替えて選択可能とし、選択された機能を機能キーの操作で実現することが記載されている。
【０００５】
また、特許文献２には、ＬＣＤ表示機能付きのボタン電話機に通話保留を行ったボタン電話機の番号等の固有情報及び保留された回線番号を表示することにより、システム内のボタン電話機の通話保留状態を正確に把握できるようにすることが記載されている。
【０００６】
更に、特許文献３には、ボタン電話装置において主装置は保留モードを記憶するための保留モードメモリと、保留モードの切替操作が可能な時間を制限するタイマーを有することが記載されている。
【先行技術文献】
【特許文献】
【０００７】
【特許文献１】特開２００７−６０１０号公報
【特許文献２】特開平０１−２７４５９５号公報
【特許文献３】特開平０５−１７６０５９号公報
【発明の概要】
【発明が解決しようとする課題】
【０００８】
特許文献１乃至３には、電話機端末の同一の機能キーに複数の機能を割り当てて選択可能とし、選択された機能を機能キーの操作で実現すること等は記載されているが、電話交換機システムが有する機能を組み合わせて更に別の機能を実現することは記載されていない。
【０００９】
本発明の目的は、システム内の保留情報等を電話機端末の機能キーに割り当てて表示することにより、本来の機能キーの機能とは別の機能を実現することが可能な電話交換機システム及び電話交換機システムの機能キーへの情報割当表示方法を提供することにある。
【課題を解決するための手段】
【００１０】
本発明に係る電話交換機システムは、電話交換機主装置と、前記電話交換機主装置に収容され、それぞれ所定機能が割り当てられ、且つ、発光素子を備えた複数の機能キーを有する複数の電話機端末とを備えた電話交換機システムであって、前記電話交換機主装置は、保留番号毎に少なくとも現在保留中であるか否かを示す保留情報を有する保留データベースと、前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーに初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させる手段と、所定の条件により前記複数の機能キーへの機能の割り当てを初期設定に戻す手段と、を備えたことを特徴とする。
【００１１】
また、本発明に係る電話交換機システムは、電話交換機主装置と、前記電話交換機主装置に収容され、それぞれ所定機能が割り当てられ、且つ、発光素子を備えた複数の機能キーを有する複数の電話機端末とを備えた電話交換機システムであって、前記電話交換機主装置は、会議番号毎に少なくとも前記電話機端末によって会議中か否かを示す会議情報を有する会議データベースと、前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーに初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させる手段と、所定の条件により前記複数の機能キーへの機能の割り当てを初期設定に戻す手段と、を備えたことを特徴とする。
【００１２】
また、本発明に係る電話交換機システムの機能キーへの情報割当表示方法は、電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、保留番号毎に少なくとも現在保留中であるか否かを示す保留情報を有する保留データベースを有し、前記電話交換機主装置は、前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーの初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させ、所定の条件により前記複数の機能キーへの機能の割り当てを初期設定に戻すことを特徴とする。
【００１３】
また、本発明に係る電話交換機システムの機能キーへの情報割当表示方法は、電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、会議番号毎に少なくとも前記電話機端末によって会議中か否かを示す会議情報を有する会議データベースを有し、前記電話交換機主装置は、前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーの初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させ、所定の条件により前記複数の機能キーへの機能の割り当てを初期設定に戻すことを特徴とする。
【００１４】
また、本発明に係る電話交換機主装置は、保留番号毎に少なくとも現在保留中であるか否かを示す保留情報を有する保留データベースと、前記複数の電話機端末のうちの或る電話機端末に対して特番が入力された時に、前記保留データベースから保留番号毎の前記保留情報を、入力された特番の種類に応じてまとめて読み出し、まとめて読み出した保留番号毎の保留情報を前記或る電話機端末の前記複数の機能キーの各々に、その機能キーに初期設定で割り当てられている機能に代えて、各保留番号に対応させて一時的に割り当てて設定し、且つ、前記複数の機能キーの各々に割り当てられた保留番号に対応した保留情報が保留中か否かの区別がつくように前記発光素子を点灯又は消灯させることによって前記複数の機能キーの各々に一時的に割り当てられている保留番号に対応する保留情報をまとめて表示させる手段と、所定の条件により前記複数の機能キーへの機能の割り当てを初期設定に戻す手段と、を備えたことを特徴とする。
【００１５】
また、本発明に係る電話交換機主装置は、会議番号毎に少なくとも電話機端末によって会議中か否かを示す会議情報を有する会議データベースと、前記複数の電話機端末のうちの或る電話機端末に対して特番が入力された時に、前記会議データベースから会議番号毎の前記会議情報を、入力された特番の種類に応じてまとめて読み出し、まとめて読み出した会議番号毎の会議情報を前記或る電話機端末の前記複数の機能キーの各々に、その機能キーに初期設定で割り当てられている機能に代えて、各会議番号に対応させて一時的に割り当てて設定し、且つ、前記複数の機能キーの各々に割り当てられた会議番号に対応した会議情報が会議中か否かの区別がつくように前記発光素子を点灯又は消灯させることによって前記複数の機能キーの各々に一時的に割り当てられている会議番号に対応する会議情報をまとめて表示させる手段と、所定の条件により前記複数の機能キーへの機能の割り当てを初期設定に戻す手段と、を備えたことを特徴とする。
【発明の効果】
【００１６】
本発明によれば、電話機端末の簡単な操作によって主装置が持つ保留情報や会議情報等を電話機端末の機能キーに割り当てて表示することにより、機能キーの本来の機能とは別の機能を実現することができる。例えば、電話機端末の機能キーにシステム内の保留情報を割り当てて表示すれば保留中の電話の中から所望の電話に応答することが可能となり、また、電話機端末の機能キーにシステム内の会議情報を割り当てて表示すれば、現在会議中の会議の中から目的の会議に割り込みで電話による参加が可能となる。
【図面の簡単な説明】
【００１７】
【図１】本発明に係る電話交換機システムの一実施形態の構成を示すブロック図である。
【図２】電話機端末の盤面を示す平面図である。
【図３】本発明に係る電話交換機システムの動作を説明するためのフローチャートである。
【図４】本発明の他の実施形態を示すブロック図である。
【発明を実施するための形態】
【００１８】
次に、発明を実施するための形態について図面を参照して詳細に説明する。図１は本発明に係る電話交換機システムの一実施形態の構成を示すブロック図である。図１に示すように電話交換機主装置（以下、主装置という）１０１は、例えば、ＰＢＸ（構内電話交換機）等である。主装置１０１には、複数の電話機端末１０２が接続（収容）されている。
【００１９】
また、図２に示すように電話機端末１０２の盤面には、電話番号等を入力するキー群２０１、複数の機能キーからなる機能キー群２０２（例えば、３２個とする）、保留キー２０３、各種情報を表示するＬＣＤ表示部２０４等が配置されている。各機能キーにはそれぞれ所定機能が割り当てられる。ＬＣＤ表示部２０４には、例えば、３０文字の文字列を１行分表示可能である。また、各機能キーには、その機能を使用中に点灯する発光素子（ＬＥＤ等）が配置されている。
【００２０】
主装置１０１は、電話回線１０３を介して公衆電話網１０７に接続され、内線や外線の発着信の制御等を行う。主装置１０１内には、システム内の電話機端末１０２の保留情報を記憶する保留データベース１０４や、電話機端末１０２毎の各機能キーと各機能キーに割り当てられた機能との対応を示す機能データベース１０５が設けられている。機能データベース１５は電話機端末１０２側で持ってもよい。
【００２１】
図１の機能データベース１０５の例では、ある電話機端末１０２の機能キー１に「外線」が割り当てられ、機能キー２に「短縮１」が割り当てられ、機能キー３には「短縮２」が割り当てられていることを示す。
【００２２】
また、主装置１０１内には、内線や外線の発着信の制御や、電話機端末１０２の機能キーへの保留情報の割り当て等システム内の制御を行うＣＰＵ等のプログラム制御によって動作する制御部１０６が設けられている。制御部１０６は、詳しく後述するように保留データベース１０４から保留情報を読み出し、電話機端末１０２の機能キーに割り当てて表示する等の制御を行う。
【００２３】
保留データベース１０４には、図１に保留情報の表として示すようにシステム内に収容された複数の電話機端末１０２の保留情報を記憶する複数の保存領域（保留１、２、３、…、）が設けられている。保留データベース１０４の各保存領域には、保留中の通話の種類（外線か内線）、保留相手の電話番号（又はポート番号）等の保留情報が保存される。
【００２４】
図１の例では、保留１、２、３、…、を示しているが、これは主装置１０１に収容された複数の電話機端末１０２の保留情報を一覧として示す。例えば、保留１はある電話機端末１０２の保留キー２０３は押下されず、保留情報は「空き」であることを示す。保留２は別の電話機端末１０２の保留キー２０３が押下され、現在「使用中（保留中）」であり、通話の種類は外線で、通話相手の電話番号は外線０１である。その際、外線０１とは、主装置１０１側のポート番号であり、主装置１０１がポート番号０１を使って外線と接続していることを示す。そのため、ポート番号ではなく、外線番号で管理しても構わない。
【００２５】
保留３は更に別の電話機端末１０２の保留キー２０３が押下され、同様にその電話機端末１０２は現在「使用中（保留中）」であり、通話の種類は内線で、通話相手の電話番号は３０１であることを示す。３０１は内線番号である。このように保留データベース１０４には、主装置１０１に収容された全ての電話機端末１０２の現在の保留情報が格納されている。
【００２６】
また、電話機端末１０２の各機能キーには、それぞれ所定の機能が割り当てられる。図１にはある電話機端末１０２の機能キーとそれに割り当てられた機能との対応を示す。主装置１０１内には、各電話機端末毎に機能キーと機能との対応を示す機能データベース１０５が設けられている。図１に示す機能データベース１０５の例では、ある電話機端末１０２の機能キー１は外線に、機能キー２は短縮１（予め短縮１として電話番号を設定）に、機能キー３は短縮２（予め短縮２として電話番号を設定）に割り当てられている。
【００２７】
主装置１０１内の制御部１０６は、保留データベース１０４の各保存領域に保留情報を書き込んだり、保留情報を読み出して電話機端末１０２に通話を接続して保留情報を削除する機能を有する。また、制御部１０６は電話機端末１０２からの特定の操作（例えば、キー群２０１からの予め設定された番号の入力等）によって保留データベース１０４の保留情報を読み出し（図１に示す保留１、２、３、…、）、その読み出した各保留情報を電話機端末１０２に通知し、その各保留情報を各機能キーに割り当てるように通知する。
【００２８】
更に、制御部１０６は電話機端末１０２から保留情報の保存領域が指定されると、その保留領域に保留情報が保存されているなら、その保留情報を使って保留中の通話を電話機端末に接続する制御を行う。或いは、その保存領域に保留情報がなく、電話機端末１０２が通話中である場合には、その通話を指定された保存領域に保留する制御を行う。
【００２９】
また、電話機端末１０２は主装置１０１に対して保留データベース１０４の保存領域の参照範囲を指定することが出来る。なお、各電話機端末１０２から主装置１０１の保留データベース１０４にアクセスするための操作としては、上述のように電話機端末１０２からの特別に設定された番号の入力による操作の他に、例えば、主装置１０１側で予め認識している特定ボタンを電話機端末１０２側で押下することによって操作する等がある。更に、ネットワークを介して主装置１０１と接続されているＰＣ（図示せず）によるアクセス等の操作であっても良い。
【００３０】
次に、本実施形態の動作を図１、図２、図３を用いて説明する。図３は本実施形態の動作を説明するフローチャートである。本実施形態では、例えば、電話機端末１０２の機能キーの数は３２個、保留データベース１０４の保存領域の数は５０個とする。また、電話機端末１０２のＬＥＤ表示部２０４は文字列が３０文字１行分の表示領域を有するものとする。ユーザが電話機端末１０２から特番を発信、即ち、予め設定された番号をキー群２０１から入力すると（図３のＳ１０１）、電話機端末１０２から主装置１０１に保留情報の読み出し要求が送信される。
【００３１】
主装置１０１では電話機端末１０２からこの要求を受けると、制御部１０６は保留データベース１０４の１〜３２番目の保留情報を読み出し、その読み出した保留情報を電話機端末１０２の各機能キーに対応させて割り当てて設定する指示を該当する電話機端末１０２に送信する（Ｓ１０２）。保留データベース１０４の１〜３２番目の保留情報を読み出すのは、電話機端末１０２が３２個の機能キーを持っているからである。もちろん、本発明はこの限りではなく、保留情報の数は任意に設定しても良い。また、制御部１０６は該当する電話機端末１０２に対してＬＣＤ表示部２０４に保留情報１〜３２を表示中であることを示す文字列の表示指示を発行する。
【００３２】
そのため、電話機端末１０２の３２個の機能キーは、一時的にシステム内の電話機端末１０２の保留情報を反映した状態となる。また、保留情報を機能キーに割り当てた場合、後述するように現在使用中（保留中）が割り当てられた機能キーのＬＥＤ等の発光素子が点灯し、そうでない機能キーの発光素子は消灯する（Ｓ１０３）。また、電話機端末１０２のＬＣＤ表示部２０４には、主装置１０１の指示により保留情報１〜３２を表示中である旨が表示される。保留情報の表示とは、上述のように現在（使用中（保留中））の機能キーの発光素子は点灯し、使用中ではない機能キーは発光素子が消灯することにより、各機能キーに割り当てられた保留情報（保留中か否か）を表示することをいう。
【００３３】
ここで、通常の動作としては、ある電話機端末１０２の機能キーが押下されると、主装置１０１はその電話機端末１０２の機能キーに割り当てられた機能の表（図１参照）からその機能キーに該当する機能を探し、その機能に対する操作を行う。これは、機能キー毎に該当する操作を行う。例えば、図１の例では、機能キー２が押下されると、短縮１に発信する操作を行う。また、外線を使用中の場合には機能キーの発光素子が使用中を示す点灯状態となる。
【００３４】
本実施形態では、上述のように電話機端末１０２から特定番号の入力等によって特番が発信されると、制御部１０６の制御により主装置１０１の保留データベース１０４から保留情報が読み出され、その読み出した各保留情報を電話機端末１０２の各機能キーに割り当てて表示する指示が発行される。例えば、図１に示すように電話機端末１０２の機能キー１が保留１に、機能キー２が保留２に、機能キー３が保留３に、…、というように電話機端末１０２の機能キー１、２、３、…、にそれぞれ保留１、２、３、…、が割り当てられる。
【００３５】
その際、保留１は「空き」であるため、機能キー１の発光素子は使用中（保留中）であることを示す点灯はせず、消灯状態となる。また、機能キー２、３にそれぞれ保留２、３が割り当てられると、図１に示すように保留２、３は使用中であるため、機能キー２、３の発光素子は使用中（保留中）であることを示す点灯状態となる。このように一時的に主装置１０１内の各保留情報を電話機端末１０２の各機能キーに割り当てて表示する処理がなされる。その上で、例えば、ユーザが図１に示す電話機端末１０２の機能キー２を押下すると（Ｓ１０４）、機能キー２は保留２（外線保留中）であるため、主装置１０１は保留された電話を接続し、ユーザは保留中の外線０１に応答することが可能となる（Ｓ１０５）。
【００３６】
つまり、ユーザが発光素子の点灯している機能キーを押下すると（例えば、機能キー２）、主装置１０１にその機能キーに対応する保存領域の情報が通知される。そうすると、制御部１０６は機能キーへの機能の割り当てとＬＣＤ表示部２０４の表示を元に戻す指示を発行した後、電話機端末１０２から通知された保存領域の保留情報を用いて電話機端末１０２と保留された通話（外線０１）との接続を開始する。また、ユーザが別の機能キー３を押下すると、同様に電話機端末１０２と通話が保留された内線（３０１）との接続を開始する。
【００３７】
一方、ユーザが機能キーを押さずに別の特番（予め設定された番号等）を入力することで、主装置１０１に対して、例えば、保留データベース１０４の３３〜５０番目の保留情報を読み出すように要求することも出来る。その際、保留データベース１０４から読み出された３３〜５０番目の保留情報が電話機端末１０２の各機能キーに割り当てられ、ユーザが発光素子の点灯している機能キーを押下することにより同様に保留中の外線や内線に応答することができる。
【００３８】
このように本実施形態では、電話機端末１０２の簡単な操作によって主装置１０１が有する保留情報を電話機端末１０２の機能キーに割り当てて表示することにより、本来の機能キーとは別の機能を実現することができる。特に、システム内の電話機端末の保留情報を各機能キーに割り当てて設定し、各機能キーに配置された発光素子の点灯又は消灯により保留情報（保留中か否か）を表示することにより、ユーザは現在保留中の保留情報を選択することで、目的の保留中の電話機端末の外線や内線に応答することができる。また、機能キーの発光素子の点灯又は消灯によりシステム内の保留情報を視覚的に確認でき、しかも、システムの大きな変更なしにシステム内の保留情報をまとめて把握することも出来る。
【００３９】
電話機端末１０２の機能キーに割り当てる機能は、ユーザが変更することもできるが、それぞれの機能キーに一つ一つ機能を設定する必要がある。また、変更を元に戻すには、再度、機能キーに機能を割り当てるための設定をしなおす必要がある。本実施形態では、元々の機能キーへの機能の割り当てを変更せずに、必要に応じて目的の保留情報を使用することができる。また、必要なときにシステム全体の保留情報を視覚的に確認することができる。
【００４０】
また、本発明は、上述のように電話機端末１０２の機能キーに保留情報を割り当てたり、発光素子の点灯や消灯によって機能キーに保留情報を表示した場合、ユーザが発光素子の点灯している機能キーを押下せずに応答しないことが考えられる。その場合には、主装置１０１側で機能キーに保留情報を割り当ててからの時間を計測し、任意に設定された制限時間を過ぎた場合には、主装置１０１から電話機端末１０２に対して機能キーへの機能の割り当てや、機能キーの発光素子による保留情報の表示、或いはＬＣＤ表示部２０４の表示を元の状態に戻すように指示を発行するのが望ましい。
【００４１】
その際、電話機端末１０２では、主装置１０１からの指示により自動的に機能キーに割り当てた機能を元に戻したり、ＬＣＤ表示部２０４の表示等を元に戻す。そうすることで、手動で機能キーに割り当てられた機能を戻したり、機能キーの発光素子による保留情報の表示、或いはＬＣＤ表示部２０４の表示を元の状態に戻す手間を省くことが出来る。
【００４２】
次に、本発明の他の実施形態について説明する。図４は本実施形態の構成を示すブロック図である。図４では図１と同一部分には同一符号を付して説明を省略する。本実施形態の基本構成は図１と同様であるが、主装置１０１には保留データベース１０４の代わりに会議データベース１０８がある。会議データベース１０８には、図４に示すように、会議１、会議２、会議３、…、のように保存領域があり、各保存領域に現在使用中（会議中）か否かの情報と内線番号が格納されている。図４の例では、会議１は空きであり（会議中ではない）、会議２は使用中（会議中）で内線番号ＹＹＹであり、会議３は使用中（会議中）で内線番号ＺＺＺである。会議に参加する時にはその内線番号に接続して参加する。
【００４３】
主装置１０１の制御部１０６は、図１の実施形態と同様に電話機端末１０２から特定の番号が発信されると、会議データベース１０８から会議情報を読み出し、その会議情報を電話機端末１０２の機能キーに割り当てたり、ＬＣＤ表示部２０４に会議情報が表示されている旨を表示する指示を電話機端末１０２に発行する。これは、第１の実施形態の保留情報の代わりに会議情報を用いただけで基本的な構成や動作は図１の実施形態と同様である。また、会議情報は機能キーの数に合わせて３２個読み出して各機能キーに割り当ててもよいが、この限りではない。電話機端末１０２のＬＣＤ表示部２０４には、第１の実施形態と同様に会議情報（例えば３２個）を表示している旨が表示される。
【００４４】
また、電話機端末の各機能キーに各会議情報を割り当てた場合には、各機能キーに配置された発光素子が現在会議中であれは点灯し、現在会議中でなければ消灯する。図４の例では、会議１が割り当てられた機能キー１は消灯し、会議２、３が割り当てられた機能キー２、３は点灯する。この状態で、ユーザが、例えば、会議２が割り当てられた機能キー２を押下すると、主装置１０１の制御部１０６は会議２の内線番号ＹＹＹに発信し、その電話機端末１０２を会議に割り込ませて参加させる。また、機能キー１が押下された場合には、会議データベース１０８の会議１の会議情報は空きであるため何もしない。
【００４５】
更に、会議は会議データベース１０８の保存領域を指定して会議を開始するのではなく、会議データベース１０７の空いている保存領域を自動で使用し、会議２、３のように会議情報を登録して開始する。更に、通話中の電話機端末１０２から操作を行った場合には会議に参加できない。
【００４６】
本実施形態では、図１の実施形態と同様に電話機端末１０２の簡単な操作によって主装置１０１が有する会議情報を電話機端末１０２の機能キーに割り当てて表示することにより、本来の機能キーとは別の機能を実現することができる。特に、本実施形態では、システム内の会議情報を電話機端末の各機能キーに割り当てて設定し、各機能キーに配置された発光素子の点灯又は消灯により会議情報（会議中か否か）を表示することにより、ユーザは目的の機能キーを押下することで、会議に割り込みで参加することができる。また、機能キーの発光素子の点灯又は消灯により、システム内の会議情報を視覚的に確認できると共に、システム内の会議情報をまとめて確認することが出来る。
【００４７】
また、本実施形態では、電話機端末１０２の機能キーに会議情報を割り当てたり、発光素子の点灯や消灯によって機能キーに会議情報を表示した場合、ユーザが発光素子の点灯している機能キーを押下せずに応答しないことが考えられる。その場合には、先の説明と同様に主装置１０１側で機能キーに会議情報を割り当ててからの時間を計測し、任意に設定された制限時間を過ぎた場合には、主装置１０１から電話機端末１０２に対して機能キーへの機能の割り当てや、機能キーの発光素子による会議情報の表示、或いはＬＣＤ表示部２０４の表示を元の状態に戻すように指示を発行するのが望ましい。こうすることで、手動で会議情報の機能キーへの割り当てや、機能キーによる会議情報の表示、或いはＬＣＤ表示部の表示を元の状態に戻す手間を省くことが出来る。
【００４８】
なお、図４で説明した実施形態と図１等で説明した実施形態とは、システム内の保留情報を機能キーに割り当てるのか、システム内の会議情報を割り当てるのかの違いであり、基本的な構成と動作は同様である。また、本発明は、電話交換機システム内で保留情報を機能キーに割り当てて表示する機能、及び 会議情報を機能キーに割り当てて表示する機能のうち少なくとも一方を実現する構成としてもよい。その際、例えば、電話機端末から入力する特別の番号を異ならせることで機能キーに保留情報を割り当てて表示するのか、機能キーに会議情報を割り当てて表示するのかを選択することができる。
【００４９】
なお、以上の実施形態の電話交換機主装置はハードウェアによっても実現できるが、コンピュータをその電話交換機主装置として機能させるためのプログラムをコンピュータがコンピュータ読み取り可能な記録媒体から読み込んで実行することによっても実現できる。
【００５０】
また、上記実施形態の一部又は全部は、以下の付記のようにも記載されうるが、以下には限らない。
【００５１】
（付記１）電話交換機主装置と、前記電話交換機主装置に収容され、それぞれ所定の機能が割り当てられ、且つ、発光素子を備えた複数の機能キーを有する複数の電話機端末とを備えた電話交換機システムであって、
前記電話交換機主装置は、
前記電話機端末毎に少なくとも現在保留中であるか否かを示す保留情報を有する保留データベースと、
前記電話機端末の特定の操作時に前記保留データベースから保留情報を読み出し、読み出した保留情報を該当する電話機端末の機能キーに割り当てて設定し、且つ、前記機能キーに割り当てられた保留情報が保留中か否かに応じて前記発光素子を点灯又は消灯させることによって前記複数の機能キーに割り当てられた保留情報を表示させる手段と、
を備えたことを特徴とする電話交換機システム。
【００５２】
（付記２）前記電話交換機主装置は、前記保留情報が割り当てられた複数の機能キーのうち前記発光素子により保留中であることが表示されている機能キーが押下された時に当該機能キーに割り当てられた保留情報に含まれる通話相手との接続を開始する手段を有することを特徴とする付記１に記載の電話交換機システム。
【００５３】
（付記３）前記電話交換機主装置は、前記保留データベースから前記機能キーの数だけ前記保留情報を読み出し、読み出した保留情報を前記電話機端末の機能キーに割り当てて設定するように該当する電話機端末に指示することを特徴とする付記１又は２に記載の電話交換機システム。
【００５４】
（付記４）電話交換機主装置と、前記電話交換機主装置に収容され、それぞれ所定機能が割り当てられ、且つ、発光素子を備えた複数の機能キーを有する複数の電話機端末とを備えた電話交換機システムであって、
前記電話交換機主装置は、
前記電話機端末毎に少なくとも前記電話機端末によって会議中か否かを示す会議情報を有する会議データベースと、
前記電話機端末の特定の操作時に前記会議データベースから会議情報を読み出し、読み出した会議情報を該当する電話機端末の機能キーに割り当てて設定し、且つ、前記機能キーに割り当てられた会議情報が会議中か否かに応じて前記発光素子を点灯又は消灯させることによって前記複数の機能キーに割り当てられた会議情報を表示させる手段と、
を備えたことを特徴とする電話交換機システム。
【００５５】
（付記５）前記電話交換機主装置は、前記会議情報が割り当てられた複数の機能キーのうち前記発光素子によって会議中であることが表示されている機能キーが押下された時に、該当する電話機端末から当該機能キーに割り当てられた会議情報に含まれる電話番号に発信することにより、当該会議に割り込みで参加させることを特徴とする付記４に記載の電話交換機システム。
【００５６】
（付記６）前記電話交換機主装置は、前記会議データベースから前記機能キーの数だけ前記会議情報を読み出し、読み出した会議情報を前記電話機端末の機能キーに割り当てて設定するように該当する電話機端末に指示することを特徴とする付記４又は５に記載の電話交換機システム。
【００５７】
（付記７）電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、
前記電話機端末毎に少なくとも現在保留中であるか否かを示す保留情報を有する保留デーベースを有し、
前記電話交換機主装置は、前記電話機端末の特定の操作時に前記保留データベースから保留情報を読み出し、読み出した保留情報を該当する電話機端末の機能キーに割り当てて設定し、且つ、前記機能キーに割り当てられた保留情報が保留中か否かに応じて前記発光素子を点灯又は消灯させることによって前記複数の機能キーに割り当てられた保留情報を表示させることを特徴とする電話交換機システムの機能キーへの情報割当表示方法。
【００５８】
（付記８）前記電話交換機主装置は、前記保留情報が割り当てられた複数の機能キーのうち前記発光素子により保留中であることが表示されている機能キーが押下された時に当該機能キーに割り当てられた保留情報に含まれる通話相手との接続を開始する手段を有することを特徴とする付記７に記載の電話交換機システムの機能キーへの情報割当表示方法。
【００５９】
（付記９）前記電話交換機主装置は、前記保留データベースから前記機能キーの数だけ前記保留情報を読み出し、読み出した保留情報を前記電話機端末の機能キーに割り当てて設定するように該当する電話機端末に指示することを特徴とする付記７又は８に記載の電話交換機システムの機能キーへの情報割当表示方法。
【００６０】
（付記１０）電話交換機主装置と、前記電話交換機主装置に収容され、それぞれ所定機能が割り当てられ、且つ、発光素子を備えた複数の機能キーを有する複数の電話機端末とを備えた電話交換機システムの機能キーへの情報割当表示方法であって、
前記電話機端末毎に少なくとも前記電話機端末によって会議中か否かを示す会議情報を有する会議データベースを有し、
前記電話交換機主装置は、前記電話機端末の特定の操作時に前記会議データベースから会議情報を読み出し、読み出した会議情報を該当する電話機端末の機能キーに割り当てて設定し、且つ、前記機能キーに割り当てられた会議情報が会議中か否かに応じて前記発光素子を点灯又は消灯させることによって前記複数の機能キーに割り当てられた会議情報を表示させることを特徴とする電話交換機システムの機能キーへの情報割当表示方法。
【００６１】
（付記１１）前記電話交換機主装置は、前記会議情報が割り当てられた複数の機能キーのうち前記発光素子によって会議中であることが表示されている機能キーが押下された時に、該当する電話機端末から当該機能キーに割り当てられた会議情報に含まれる電話番号に発信することにより、当該会議に割り込みで参加させることを特徴とする付記１０に記載の電話交換機システムの機能キーへの情報割当表示方法。
【００６２】
（付記１２）前記電話交換機主装置は、前記会議データベースから前記機能キーの数だけ前記会議情報を読み出し、読み出した会議情報を前記電話機端末の機能キーに割り当てて設定するように該当する電話機端末に指示することを特徴とする付記１０又は１１に記載の電話交換機システムの機能キーへの情報割当表示方法。
【００６３】
（付記１３）電話交換機主装置を、
電話機端末毎に少なくとも現在保留中であるか否かを示す保留情報を有する保留デーベースを作成する手段と、
前記電話機端末の特定の操作時に前記保留データベースから保留情報を読み出し、読み出した保留情報を該当する電話機端末の機能キーに割り当てて設定し、且つ、前記機能キーに割り当てられた保留情報が保留中か否かに応じて前記発光素子を点灯又は消灯させることによって前記複数の機能キーに割り当てられた保留情報を表示させる手段と、
して機能させるためのプログラム。
【００６４】
（付記１４）前記電話交換機主装置を、更に前記保留情報が割り当てられた複数の機能キーのうち前記発光素子により保留中であることが表示されている機能キーが押下された時に当該機能キーに割り当てられた保留情報に含まれる通話相手との接続を開始する手段として機能させる付記１３に記載のプログラム。
【００６５】
（付記１５）前記電話交換機主装置を、更に前記保留データベースから前記機能キーの数だけ前記保留情報を読み出し、読み出した保留情報を前記電話機端末の機能キーに割り当てて設定するように該当する電話機端末に指示する手段として機能させる付記１３又は１４に記載のプログラム。
【００６６】
（付記１６）電話交換機主装置を、
電話機端末毎に少なくとも前記電話機端末によって会議中か否かを示す会議情報を有する会議データベースを作成する手段と、
前記電話機端末の特定の操作時に前記会議データベースから会議情報を読み出し、読み出した会議情報を該当する電話機端末の機能キーに割り当てて設定し、且つ、前記機能キーに割り当てられた会議情報が会議中か否かに応じて前記発光素子を点灯又は消灯させることによって前記複数の機能キーに割り当てられた会議情報を表示させる手段と、
して機能させるためのプログラム。
【００６７】
（付記１７）前記電話交換機主装置を、更に前記会議情報が割り当てられた複数の機能キーのうち前記発光素子によって会議中であることが表示されている機能キーが押下された時に、該当する電話機端末から当該機能キーに割り当てられた会議情報に含まれる電話番号に発信することにより、当該会議に割り込みで参加させる手段として機能させる付記１６に記載のプログラム。
【００６８】
（付記１８）前記電話交換機主装置を、更に前記会議データベースから前記機能キーの数だけ前記会議情報を読み出し、読み出した会議情報を前記電話機端末の機能キーに割り当てて設定するように該当する電話機端末に指示する手段として機能させる付記１６又は１７に記載のプログラム。
【００６９】
（付記１９）電話機端末毎に少なくとも現在保留中であるか否かを示す保留情報を有する保留データベースと、
前記電話機端末の特定の操作時に前記保留データベースから保留情報を読み出し、読み出した保留情報を該当する電話機端末の機能キーに割り当てて設定し、且つ、前記機能キーに割り当てられた保留情報が保留中か否かに応じて前記発光素子を点灯又は消灯させることによって前記複数の機能キーに割り当てられた保留情報を表示させる手段と、
を備えたことを特徴とする電話交換機主装置。
【００７０】
（付記２０）電話機端末毎に少なくとも前記電話機端末によって会議中か否かを示す会議情報を有する会議データベースと、
前記電話機端末の特定の操作時に前記会議データベースから会議情報を読み出し、読み出した会議情報を該当する電話機端末の機能キーに割り当てて設定し、且つ、前記機能キーに割り当てられた会議情報が会議中か否かに応じて前記発光素子を点灯又は消灯させることによって前記複数の機能キーに割り当てられた会議情報を表示させる手段と、
を備えたことを特徴とする電話交換機主装置。
【符号の説明】
【００７１】
１０１  電話交換機主装置（主装置）
１０２  電話機端末
１０３  電話回線
１０４  保留データベース
１０５  機能データベース
１０６  制御部
１０７  公衆電話網
１０８  会議データベース
２０１  キー群
２０２  機能キー群
２０３  保留キー
２０４  ＬＣＤ表示部
【図１】
0005385245.tif 000002
【図２】
0005385245.tif 000003
【図３】
0005385245.tif 000004
【図４】
0005385245.tif 000005